(57)【要約】【課題】  遊技台の制御基板に対する不正行為の検出のためのＩＤ読み取り作業と、不正事実の確認や対処とを別に行なうことができるようにする。【解決手段】  遊技台の設置位置情報に対応した台番号ＩＤを読み取り可能に記憶した台番号記憶媒体５と、セキュリティＩＤを記憶した封印シール７，８と、上記台番号ＩＤおよびセキュリティＩＤを読み取ることができ、携帯端末９に設けたＩＤ読み取り部１１と、台番号ＩＤとセキュリティＩＤと設置位置情報とを記憶した対応テーブル記憶部１６と、データ処理部１５と、データ処理部１５が処理したデータを記憶するデータ記憶部１７とからなり、データ処理部１５は、上記ＩＤ読み取り部１１を介して入力された台番号ＩＤとセキュリティＩＤとを対応付け、この対応関係を対応テーブルの対応関係と対比して、両者が一致するか否か判定し、その判定結果をデータ記憶部１７に記憶させる。【選択図】  図３
2008104699.tif 000002
【特許請求の範囲】
【請求項１】
遊技台の台番号などの設置位置情報を特定する台番号ＩＤを、電気的または光学的に読み取り可能に記憶した台番号記憶媒体と、セキュリティＩＤを記憶した遊技台の制御基板用の封印シールと、上記台番号記憶媒体から台番号ＩＤを読み取ることができ、かつ、上記封印シールからもセキュリティＩＤを読み取ることができ、携帯端末に設けたＩＤ読み取り部と、台番号ＩＤとセキュリティＩＤと台番号などの設置位置情報とを対応させた対応テーブルを記憶した対応テーブル記憶部と、上記ＩＤ読み取り部および対応テーブル記憶部に接続したデータ処理部と、上記携帯端末と無線通信を介して接続し、上記データ処理部が処理したデータを記憶するデータ記憶部とからなり、上記封印シールは、貼付箇所から剥がされた場合に、上記セキュリティＩＤの発信機能を失うか、あるいは、上記正規のセキュリティＩＤ以外の異常信号を発信する構成を備え、上記データ処理部は、上記ＩＤ読み取り部を介して入力された台番号ＩＤを、この台番号ＩＤと予め設定された入力タイミングでＩＤ読み取り部を介して入力されたセキュリティＩＤに対応付ける機能と、このＩＤ読み取り部から入力された台番号ＩＤとセキュリティＩＤとの対応関係を上記対応テーブルの対応関係と対比して、両者が一致するか否か判定する機能と、上記両対応関係が一致するか否かの判定結果をデータ記憶部に記憶させる機能と、データ記憶部が記憶しているデータを出力させる機能とを備えた遊技場における不正検出システム。
【請求項２】
上記データ処理部が出力するセキュリティＩＤの読み取り完了信号を表示する表示部を上記ＩＤ読み取り部と一体に設け、データ処理部は、不正があるかどうか確認すべき遊技台の台番号ＩＤごとに、上記ＩＤ読み取り部を介して入力された当該台番号ＩＤとセキュリティＩＤとの対応関係が上記対応テーブルと一致しているか否かを判定し、上記台番号ＩＤと読み取り部を介して入力されたセキュリティＩＤとの対応関係が、上記対応テーブルの対応関係と一致している場合にのみ、上記台番号ＩＤに対応するセキュリティＩＤの読み取りが完了したと判断し、上記セキュリティＩＤの読み取り完了信号を、上記台番号ＩＤに対応付けて出力し、この読み取り完了信号を上記表示部に表示させる請求項１に記載の遊技場における不正検出システム。
【請求項３】
上記データ処理部が出力する読み取り未完信号を表示する表示部を上記ＩＤ読み取り部と一体に設け、上記データ処理部は、不正があるかどうかを確認すべき遊技台の台番号ＩＤごとに、上記ＩＤ読み取り部を介して入力された当該台番号ＩＤとセキュリティＩＤとの対応関係が上記対応テーブルと一致しているか否か、あるいは、上記セキュリティＩＤが正規に読み取られているか否かを読み取り部による読み取り操作ごとに判定し、上記台番号ＩＤと読み取り部を介して入力されたセキュリティＩＤとの対応関係が、上記対応テーブルの対応関係と一致していない場合、あるいは、上記セキュリティＩＤが正規に読み取られなかった場合に、上記台番号ＩＤに対応するセキュリティＩＤの読み取りが未完であると判断するとともに、この読み取りが未完であることを示す読み取り未完信号を、上記設置位置情報あるいは台番号ＩＤに対応付けて出力し、この読み取り未完信号を上記表示部に表示させる請求項１または２に記載の遊技場における不正検出システム。
【請求項４】
上記データ処理部が出力する読み取り未完の遊技台数を表示する表示部を上記ＩＤ読み取り部と一体に設け、上記データ処理部は、不正があるかどうか確認すべき遊技台の台番号ＩＤごとに、上記ＩＤ読み取り部を介して入力された当該台番号ＩＤとセキュリティＩＤとの対応関係が上記対応テーブルと一致しているか否かを判定し、上記台番号ＩＤと読み取り部を介して入力されたセキュリティＩＤとの対応関係が、上記対応テーブルの対応関係と一致している場合にのみ、上記台番号ＩＤに対応するセキュリティＩＤの読み取りが完了したと判断するとともに、セキュリティＩＤの読み取りが完了したと判断するたびに、予め入力された不正の有無を確認すべき遊技台数から１を減算して読み取り未完の遊技台数を算出し、これを上記表示部に表示させる請求項１〜３のいずれか１に記載の遊技場における不正検出システム。
【請求項５】
上記データ処理部が出力する読み取り未完の遊技台台数を表示する表示部を上記ＩＤ読み取り部と一体に設け、上記データ処理部は、不正があるかどうか確認すべき遊技台の台番号ＩＤごとに、上記ＩＤ読み取り部を介して入力された当該台番号ＩＤとセキュリティＩＤとの対応関係が上記対応テーブルと一致しているか否かを判定し、上記台番号ＩＤと読み取り部を介して入力されたセキュリティＩＤとの対応関係が、上記対応テーブルの対応関係と一致している場合にのみ、上記台番号ＩＤに対応するセキュリティＩＤの読み取りが完了したと判断するとともに、セキュリティＩＤの読み取りが完了したと判断するたびに、予め入力された不正の有無を確認すべき遊技台から読み取り未完の遊技台の台番号ＩＤあるいは台番号のいずれか一方または両方を特定し、この読み取り未完の遊技台数の台番号ＩＤまたは台番号のいずれか一方または両方を上記表示部に表示させる請求項１〜４のいずれか１に記載の遊技場における不正検出システム。
【請求項６】
上記ＩＤ読み取り部と一体化した表示部を設け、データ処理部は、読み取り部を介して読み取った台番号ＩＤとセキュリティＩＤとの対応関係を上記対応テーブルと対比して、これらが一致しない場合には、上記読み取ったセキュリティＩＤが上記対応テーブル記憶部に記憶されているか否か検索し、上記セキュリティＩＤが対応テーブル記憶部に記憶されていた場合には、上記表示部に、上記セキュリティＩＤが移動した旨を表示させる請求項１〜５のいずれか１に記載の遊技場における不正検出システム。
【請求項７】
上記ＩＤ読み取り部と一体化した表示部を設け、データ処理部は、読み取り部を介して読み取った台番号ＩＤとセキュリティＩＤとの対応関係を上記対応テーブルと対比して、これらが一致しない場合には、上記読み取ったセキュリティＩＤが上記対応テーブル記憶部に記憶されているか否か検索し、上記セキュリティＩＤが対応テーブル記憶部に記憶されていなかった場合には、上記表示部に、上記セキュリティＩＤが新規である旨を表示させる請求項１〜６のいずれか１に記載の遊技場における不正検出システム。
【発明の詳細な説明】
【技術分野】
【０００１】
この発明は、遊技場において、遊技台を制御する制御基板を交換したり、改竄したりする不正行為が行われた場合、そのことを検出するための不正検出システムに関する。
【背景技術】
【０００２】
従来から、遊技によって不当な利益を得ようとする者が、閉店後などの遊技場に入り込んで、遊技台の制御基板を交換したり、改竄したりすることがあった。
このような不正が行われたことを検出するために、制御基板の取り付け部や、基板カバーに、セキュリティＩＤを発信するＩＣを組み込んだ封印シールを取り付ける方法が知られている。
この封印シールは、貼付箇所からはがされると、通信機能が破壊されるなどして、正規のセキュリティＩＤを発信しなくなるようにしたものであって、制御基板を交換したり、改竄したりした後に、同じ封印シールを貼り直すことができないようにしている。例えば、制御基板の取り外しや基板カバーの開閉の際に、封印シールを剥がせば、封印シールから正規のセキュリティＩＤが発信されなくなるので、そのセキュリティＩＤを読み取れないことから、制御基板に対する不正操作を検出することができる。
【０００３】
具体的には、遊技場の閉店後に、店員が、ＩＤ読み取り装置で封印シールからセキュリティＩＤを読み取って、それが読み取れるかどうかによって正・不正を判断する。
そして、遊技台ごとにＩＤ読み取り装置を対応させて設置する方法や、携帯用のＩＤ読み取り装置を用いて、セキュリティＩＤを読み取る方法が知られている。
特に、携帯用のＩＤ読み取り装置を用いる場合には、１台のＩＤ読取装置で複数の遊技台に対応できるので、設備コストを低くできるというメリットがあり、店員は、移動しながら封印シールのセキュリティＩＤを読み取って、セキュリティＩＤが読み取れたかどうかを確認するようにしていた。
【０００４】
また、読み取ったＩＤが正規のものかどうかを判定するために、携帯用の読み取り装置で読み取ったセキュリティＩＤをサーバーへ送信し、サーバーで、正否を判定する方法も知られている。サーバーには、予め、封印シールのセキュリティＩＤを登録させておいて、上記ＩＤ読み取り装置からセキュリティＩＤが送信されたとき、送信されたセキュリティＩＤが、登録されているものと一致するかどうか判断するようにしている。そして、読み取ったＩＤが、登録済みのセキュリティＩＤではなかった場合には、警報などの異常信号を出力して異常を知らせる。
【０００５】
このように、ＩＤ読み取り装置で、遊技台ごとに封印シールのセキュリティＩＤを読み取って送信すると、そのたびに判定結果が出力されるようにしたシステムでは、異常の判定結果が出力された場合に、その場で、封印シールが貼付されている制御基板の取り付け部や、基板カバーなどを確認し、制御基板に対して不正操作が行なわれたかどうかを確認するようにしていた。
【特許文献１】特開２０００−２８８２１８号公報
【発明の開示】
【発明が解決しようとする課題】
【０００６】
封印シールが完全に破断していた場合や、基板カバーが外されたままになっている場合には、誰もが制御基板に対する何らかの操作があったことを確認することができるが、別の封印シールが貼られていたり、破損が小さかったりした場合には、本当に、制御基板が改竄されたのかどうかは、経験者でなければ見極めることが難しい。また、不正に交換されたり、改竄されたりした制御基板を、取り外したり、取り替えたりする作業は、誰でもできるものではなく、特別に許可された者だけが行なうことができる作業である。
【０００７】
また、遊技場内のレイアウトの変更で、新たな遊技台を設置した場合には、新たな遊技台に対応するセキュリティＩＤをサーバーに登録しなければならないが、新セキュリティＩＤをサーバーに登録するのが遅れた場合には、セキュリティＩＤを読み取った時点で異常と判断されてしまう。
このようなときに、ＩＤの読み取り作業をしている者が、レイアウトの変更があったことを分かっていないと、混乱してしまうことになる。
【０００８】
また、携帯用のＩＤ読み取り装置で、セキュリティＩＤのみを読み取って、その時点で、正常か異常かの判定結果が、ＩＤ読み取り装置に表示されるようにした場合には、表示された判定結果がどの遊技台のものかということは、読み取り現場にいなければ分からない。
そのため、封印シールのセキュリティＩＤを読み取る作業は、遊技場のレイアウト変更などの情報を熟知していて、異常時に適切に対処できる者が行なわなければならなかった。
しかし、実際に制御基板が改竄されたり、交換されたりする不正の割合は、遊技場内の全遊技台数から見れば僅かである。このような僅かな異常のために、閉店後のセキュリティＩＤの読み取り作業を、常に、異常に対処できる人が行なわなければならないのでは効率が悪い。
【０００９】
この発明の目的は、制御基板に対する不正行為の検出のためのＩＤ読み取り作業と、不正事実の確認や対処とを別に行なうことができるようにし、専門家でなく、アルバイト従業員などの素人でも、上記読み取り作業を簡単にできるようにする不正検出システムを提供することである。
【課題を解決するための手段】
【００１０】
第１の発明は、遊技台の台番号などの設置位置情報を特定する台番号ＩＤを、電気的または光学的に読み取り可能に記憶した台番号記憶媒体と、セキュリティＩＤを記憶した遊技台の制御基板用の封印シールと、上記台番号記憶媒体から台番号ＩＤを読み取ることができ、かつ、上記封印シールからもセキュリティＩＤを読み取ることができ、携帯端末に設けたＩＤ読み取り部と、台番号ＩＤとセキュリティＩＤと台番号などの設置位置情報とを対応させた対応テーブルを記憶した対応テーブル記憶部と、上記ＩＤ読み取り部および対応テーブル記憶部に接続したデータ処理部と、上記携帯端末と無線通信を介して接続し、上記データ処理部が処理したデータを記憶するデータ記憶部とからなり、上記封印シールは、貼付箇所から剥がされた場合に、上記セキュリティＩＤの発信機能を失うか、あるいは、上記正規のセキュリティＩＤ以外の異常信号を発信する構成を備え、上記データ処理部は、上記ＩＤ読み取り部を介して入力された台番号ＩＤを、この台番号ＩＤと予め設定された入力タイミングでＩＤ読み取り部を介して入力されたセキュリティＩＤに対応付ける機能と、このＩＤ読み取り部から入力された台番号ＩＤとセキュリティＩＤとの対応関係を上記対応テーブルの対応関係と対比して、両者が一致するか否か判定する機能と、上記両対応関係が一致するか否かの判定結果をデータ記憶部に記憶させる機能と、データ記憶部が記憶しているデータを出力させる機能とを備えた点に特徴を有する。
【００１１】
上記台番号などの設置位置情報は、遊技台の設置場所を特定するためのものであり、例えば、遊技台の設置フレームや、床などに対応付けたものである。従って、台番号ＩＤを記憶した台番号記憶媒体も、遊技台の設置フレームなどに設け、個々の遊技台に設けるものではない。
また、上記判定結果には、読み取った台番号ＩＤとセキュリティＩＤとの対応関係が、対応テーブルのものと一致しているか、不一致かということだけでなく、実際の対応関係が特定できる情報を含んでもよい。例えば、上記両対応関係が一致した場合には、台番号に「対応テーブルと一致」という結果のみを対応付ければ足りるが、対応テーブルと一致しなかった場合には、「不一致」という情報だけでなく、読み取ったＩＤ同士の実際の対応関係も判定結果に含める。
【００１２】
第２の発明は、第１の発明を前提とし、上記データ処理部が出力するセキュリティＩＤの読み取り完了信号を表示する表示部を上記ＩＤ読み取り部と一体に設け、データ処理部は、不正があるかどうか確認すべき遊技台の台番号ＩＤごとに、上記ＩＤ読み取り部を介して入力された当該台番号ＩＤとセキュリティＩＤとの対応関係が上記対応テーブルと一致しているか否かを判定し、上記台番号ＩＤと読み取り部を介して入力されたセキュリティＩＤとの対応関係が、上記対応テーブルの対応関係と一致している場合にのみ、上記台番号ＩＤに対応するセキュリティＩＤの読み取りが完了したと判断し、上記セキュリティＩＤの読み取り完了信号を、上記台番号ＩＤに対応付けて出力し、この読み取り完了信号を上記表示部に表示させる点に特徴を有する。
【００１３】
第３の発明は、第１または第２の発明を前提とし、上記データ処理部が出力する読み取り未完信号を表示する表示部を上記ＩＤ読み取り部と一体に設け、上記データ処理部は、不正があるかどうかを確認すべき遊技台の台番号ＩＤごとに、上記ＩＤ読み取り部を介して入力された当該台番号ＩＤとセキュリティＩＤとの対応関係が上記対応テーブルと一致しているか否か、あるいは、上記セキュリティＩＤが正規に読み取られているか否かを読み取り部による読み取り操作ごとに判定し、上記台番号ＩＤと読み取り部を介して入力されたセキュリティＩＤとの対応関係が、上記対応テーブルの対応関係と一致していない場合、あるいは、上記セキュリティＩＤが正規に読み取られなかった場合に、上記台番号ＩＤに対応するセキュリティＩＤの読み取りが未完であると判断するとともに、この読み取りが未完であることを示す読み取り未完信号を、上記設置位置情報あるいは台番号ＩＤに対応付けて出力し、この読み取り未完信号を上記表示部に表示させる点に特徴を有する。
【００１４】
第４の発明は、上記第１〜第３の発明を前提とし、上記データ処理部が出力する読み取り未完の遊技台数を表示する表示部を上記ＩＤ読み取り部と一体に設け、上記データ処理部は、不正があるかどうか確認すべき遊技台の台番号ＩＤごとに、上記ＩＤ読み取り部を介して入力された当該台番号ＩＤとセキュリティＩＤとの対応関係が上記対応テーブルと一致しているか否かを判定し、上記台番号ＩＤと読み取り部を介して入力されたセキュリティＩＤとの対応関係が、上記対応テーブルの対応関係と一致している場合にのみ、上記台番号ＩＤに対応するセキュリティＩＤの読み取りが完了したと判断するとともに、セキュリティＩＤの読み取りが完了したと判断するたびに、予め入力された不正の有無を確認すべき遊技台数から１を減算して読み取り未完の遊技台数を算出し、これを上記表示部に表示させる点に特徴を有する。
【００１５】
第５の発明は、上記第１〜第４の発明を前提とし、上記データ処理部が出力する読み取り未完の遊技台台数を表示する表示部を上記ＩＤ読み取り部と一体に設け、上記データ処理部は、不正があるかどうか確認すべき遊技台の台番号ＩＤごとに、上記ＩＤ読み取り部を介して入力された当該台番号ＩＤとセキュリティＩＤとの対応関係が上記対応テーブルと一致しているか否かを判定し、上記台番号ＩＤと読み取り部を介して入力されたセキュリティＩＤとの対応関係が、上記対応テーブルの対応関係と一致している場合にのみ、上記台番号ＩＤに対応するセキュリティＩＤの読み取りが完了したと判断するとともに、セキュリティＩＤの読み取りが完了したと判断するたびに、予め入力された不正の有無を確認すべき遊技台から読み取り未完の遊技台の台番号ＩＤあるいは台番号のいずれか一方または両方を特定し、この読み取り未完の遊技台数の台番号ＩＤまたは台番号のいずれか一方または両方を上記表示部に表示させる点に特徴を有する。
【００１６】
なお、上記表示部に表示させる台番号ＩＤまたは台番号は、読み取り未完の遊技台に対応するものであるが、対応するもの全てを同時に表示しなくてもよい。例えば、次に確認すべき遊技台の台番号などを一台分ずつ表示させるようにしてもよい。
【００１７】
第６の発明は、上記第１〜第５の発明を前提とし、上記ＩＤ読み取り部と一体化した表示部を設け、データ処理部は、読み取り部を介して読み取った台番号ＩＤとセキュリティＩＤとの対応関係を上記対応テーブルと対比して、これらが一致しない場合には、上記読み取ったセキュリティＩＤが上記対応テーブル記憶部に記憶されているか否か検索し、上記セキュリティＩＤが対応テーブル記憶部に記憶されていた場合には、上記表示部に、上記セキュリティＩＤが移動した旨を表示させる点に特徴を有する。
【００１８】
第７の発明は、上記第１〜第６の発明を前提とし、上記ＩＤ読み取り部と一体化した表示部を設け、データ処理部は、読み取り部を介して読み取った台番号ＩＤとセキュリティＩＤとの対応関係を上記対応テーブルと対比して、これらが一致しない場合には、上記読み取ったセキュリティＩＤが上記対応テーブル記憶部に記憶されているか否か検索し、上記セキュリティＩＤが対応テーブル記憶部に記憶されていなかった場合には、上記表示部に、上記セキュリティＩＤが新規である旨を表示させる点に特徴を有する。
【発明の効果】
【００１９】
第１〜第７の発明によれば、封印シールから発信されるセキュリティＩＤとともに、台番号記憶媒体から遊技台の設置位置を特定する台番号ＩＤを読み取って、それらを対応付けて、対応テーブルと対比して、その結果をデータ記憶部に記憶させるようにしているので、ＩＤの読み取り現場にいなくても、データ記憶部が記憶しているデータから、セキュリティＩＤの判定結果と遊技台の設置位置との関係を知ることができる。
【００２０】
つまり、台番号ＩＤとセキュリティＩＤとの対応関係の判定結果を、データ記憶部に記憶させておくので、その記憶されたデータを出力することにより、ＩＤの読み取り作業とは、別の場所や、別のタイミングで、正規のセキュリティＩＤを検出できなかった遊技台の位置を、台番号ＩＤに対応する台番号などの設置位置情報から特定することができる。そのため、上記読み取り作業とは別に、不正操作が行なわれた可能性のある遊技台を確認したり、不正に操作された制御基板に対処したりすることもできる。
従って、ＩＤの読み取り作業は、不正に対処することができない素人に任せることもできる。
【００２１】
また、この発明では、台番号記憶媒体から、遊技台の設置位置情報に対応付けた台番号ＩＤを読み取ることによって、セキュリティＩＤに遊技台の設置位置情報を簡単に対応付けることができる。携帯端末に設けたＩＤ読み取り部の場合、１台で複数の遊技台に対応することができるが、ＩＤ読み取り部の位置が固定化されていないので、読み取ったＩＤに対応する遊技台の設置位置情報を、ＩＤ読み取り部から自動的に特定することができない。そのため、従来はＩＤ読み取り部で読み取ったＩＤに設置位置情報を対応付けるために、台番号などを手入力していたが、上記台番号記憶媒体を備えることにより、台番号などの手入力作業を不要にできる。
【００２２】
第２の発明によれば、ＩＤの読み取り作業中に、ＩＤ読み取り部と一体にした表示部、すなわち、携帯端末に、ＩＤの読み取りの完了を表示できる。読み取り作業者は、読み取り完了が表示された場合には、正規のセキュリティＩＤを読み取ったことを確認できる。
反対に、読み取り完了が表示されなかった場合には、台番号ＩＤやセキュリティＩＤの読み取り自体がうまくできなかった可能性もあるので、その可能性を考えて、何回か読み取り操作をやり直すこともできる。これにより、携帯端末の操作ミスなどによるＩＤの読み損ないを少なくできる。
【００２３】
第３〜第５の発明によれば、上記読み取り完了とならなかった場合、読み取り未完として、表示部に表示されるので、セキュリティＩＤの読み損ないの可能性を考えて、読み取り操作を繰り返すことができる。
特に、第４の発明では、読み取り完了となった遊技台数を、確認すべき遊技台数から減算して、その残数を表示するようにしているため、読み取り作業者は、ＩＤの読み取り作業中に、その時点で読み取らなければならない遊技台の台数を認識することができる。作業者は、残数がゼロになれば、全ての読み取り作業が完了し、台番号ＩＤとセキュリティＩＤとの対応関係にも異常がなかったことを知ることができる。一方で表示部に表示される残数がゼロにならなかった場合には、読み直してみることができ、読み損ないを減らすことができる。
【００２４】
また、第５の発明によれば、読み取り未完の遊技台の台番号ＩＤまたは台番号が表示されるので、これから読み取らなければならない遊技台や、読み損ないの可能性がある遊技台がどれなのか特定できる。
例えば、読み取り未完の遊技台の台番号ＩＤや台番号を、表示部に１台分ずつ表示させるようにすれば、作業者は、表示された台番号の遊技台を次に読み取るべき遊技台として、よりスムーズに作業を進めることができる。
【００２５】
第６の発明によれば、封印シールが貼付された遊技台が、元の設置位置から移動したことが分かる。遊技台のレイアウト変更を行なった場合、台番号ＩＤとセキュリティＩＤとの対応関係が変わるが、そのことを対応テーブルに登録する前に、ＩＤの読み取り作業を行なった場合などに、読み取ったＩＤの対応関係と対応テーブルとが一致しないことが起こるが、このような状況を不正と区別することができる。
【００２６】
第７の発明によれば、対応テーブルに登録されたいずれのセキュリティＩＤとも一致しないＩＤが読み取られた場合に、新規のＩＤを読み取ったことを表示することができる。これにより、新たな封印シールが貼付された遊技台、例えば、不正が行われた可能性と、新台が設置された可能性とを示すことができる。
【発明を実施するための最良の形態】
【００２７】
図１〜図７に示す、この発明の第１実施形態は、遊技場内に設けた複数の遊技台１に対する不正行為を検出するためのシステムである。
図１は、遊技場において、遊技台を整列させた遊技島を示した図である。
通常の遊技場では、図１に示すように、基台２ａとその上方に、図示しない連結部材を介して設けたランプ板２ｂからなるフレーム２内に、遊技台１および遊技媒体の払い出し装置３とを並列にして設置している。上記ランプ板２ｂは、呼び出しランプ４を固定するためのものであるが、遊技台１へ遊技媒体を供給する通路や、配線などを覆う役目も果たしている。
なお、図１では、一つの遊技島のみを示しているが、通常、遊技場内には、このような遊技島が複数設けられている。
【００２８】
そして、フレーム２のランプ板２ｂには、各遊技台１に対応する位置に、この発明の台番号記憶媒体にあたる台番号シール５を貼付している。この台番号シール５は、台番号ＩＤを記憶し、それを発信するＩＣシールである。そして、この台番号シール５は、個々の遊技台１の設置位置が特定できる箇所、すなわち、台番号シール５から読み取った台番号ＩＤがどの遊技台のものか区別できる位置に貼付している。
なお、遊技台の台番号は、フレーム２に表示し、遊技場内の相対位置を示したものであって、特定の遊技台１に対応付けられたものではない。従って、この台番号が、この発明の設置位置情報であり、上記台番号ＩＤはこの台番号に対応付けられている。そのため、台番号ＩＤを記憶した台番号シール５も、遊技台１に貼付するのではなく、フレーム２や床など、遊技台１が移動しても移動しない箇所に貼付する。
【００２９】
この実施形態では、図１、図２に示すように、台番号シール５を、ランプ板２ｂの裏面であって、呼び出しランプ４の取り付け位置近傍に貼付している。台番号シール５をランプ板２ｂの裏面に貼付したのは、台番号シール５が、遊技者などに悪戯され難くするためである。ただし、ランプ板２ｂの表面に設け、台番号を記載し、台番号表示を兼ねてもよい。
【００３０】
また、図２は、遊技台１の背面を示した図であるが、遊技台の制御基板を覆った基板カバー６を遊技台の背面板１ａに取り付けるとともに、基板カバー６と背面板１ａにわたして封印シール７，８を貼り付けている。つまり、基板カバー６を外したり、開けたりするためには、封印シール７，８をはがさなければならない。ただし、封印シールは、基板カバー６に限らず、制御基板に手を加えるためには剥がさなければならない位置に貼付するようにすればよい。
【００３１】
これらの封印シール７，８は、それぞれ、セキュリティＩＤを記憶し、それを発信する機能を有するＩＣを内蔵したシールで、一度貼付した状態から剥がすと、記憶しているセキュリティＩＤを発信しなくなるものである。具体的には、剥がす際の折り曲げ力によって、内部の発信回路が破壊するように構成されたものや、振動や外力を感知して、記憶しているセキュリティＩＤを消去したり、変更して正規のセキュリティＩＤの代わりに異常信号を発信したりするようにしたものなどがある。いずれにしても、一旦、剥がされると、正規のセキュリティＩＤが発信されることはない。このシステムでは、このような封印シール７，８が剥がされたかどうかによって、基板カバー６が外されたかどうかを検出するようにしている。
なお、上記台番号ＩＤを記憶した台番号シール５も、この封印シール７，８のように構成し、剥がされたら台番号ＩＤを発信しないようにしてもよい。
【００３２】
そして、図３は、上記のような遊技台１を設定した遊技場において、基板カバー６が外されたことを検出するためのシステム構成図である。
このシステムは、上記フレーム２に設けた台番号シール５と、基板カバー６に貼付した封印シール７，８と、これらのシールから台番号ＩＤおよびセキュリティＩＤを読み取る機能を備えた携帯端末９と、この携帯端末９と無線通信によってデータをやり取りするサーバーＳとを備えている。
【００３３】
上記携帯端末９は、制御部１０と、これに接続したＩＤ読み取り部１１、表示部１２、データ送受信部１３および操作部１４を備えている。
制御部１０は、不正を検出するためのＩＤの読み取り作業者によって上記操作部１４を介して入力される指令信号や、サーバーＳから受信した信号に基づいて、携帯端末９を制御する機能を有する。
上記ＩＤ読み取り部１１は、読み取り開始状態において、上記各シール５，７，８に接近することによって、各シールからＩＤを読み取る機能を備えている。具体的には、携帯端末９を読み取り状態にしてシールに近づけて所定の操作をすると、ＩＤ読み取り部１１から、問い合わせ信号が発信される。この問い合わせ信号に応じてシール内の発信回路が励起され各ＩＤが発信される。ただし、各シールが、定期的にＩＤを発信する機能を備えたものでもよい。
【００３４】
また、表示部１２は、携帯端末９のディスプレイであり、この発明のＩＤ読み取り部１１と一体に設けた表示部である。
そして、この携帯端末９は、データ送受信部１３を介して上記サーバーＳとの間で、データの送受信を行なうようにしている。
さらに、サーバーＳには、不正を検出するための処理を行なうデータ処理部１５と、後で説明する対応テーブルを記憶した対応テーブル記憶部１６と、データ処理部１５で処理されたデータを記憶するデータ記憶部１７とを備えている。
【００３５】
上記対応テーブル記憶部１６には、台番号と台番号ＩＤと、封印シール７，８のセキュリティＩＤとの対応関係を示した、例えば、図４に示すような対応テーブルを記憶させておく。このような、台番号と台番号ＩＤとセキュリティＩＤとの対応関係は、遊技場にこのシステムを設置したときに、各シールからＩＤを読み取って、作成するようにする。例えば、上記携帯端末９を用いて読み取った各ＩＤをサーバーＳへ送ると、サーバーＳが上記対応テーブルを作成し、対応テーブル記憶部１６に記憶させることができる。なお、上記対応テーブルのうち、台番号と台番号ＩＤとの対応関係は、遊技台の移動だけでは変化しないので、台番号と台番号ＩＤとの対応付けは、システムの導入時や増台や減台をする場合のみ行なえば足りる。
【００３６】
次に、このシステムにおいて、上記基板カバー６が剥がされたかどうかを検出するための手順を説明する。
まず、ＩＤの読み取り作業者は、携帯端末９を用いて、遊技台ごとに各シールのＩＤを読み取るが、１台の遊技台１には、図２に示すように台番号シール５と、封印シール７，８とが対応付けられているので、作業者は、まず台番号シール５にＩＤ読み取り部を近づけて台番号ＩＤを読み取ってから、次に、封印シール７からＩＤを読み取り、さらに、封印シール８からＩＤを読み取るようにする。ただし、これらのシール５，７，８は、遊技台１の前面からは見えない場所に貼付されているので、実際には、作業者は遊技台表面の対応する箇所にＩＤ読み取り部１１を近づけることになる。
【００３７】
そして、上記したように、台番号シール５、封印シール７、封印シール８の順に、一通りＩＤ読み取り部１１を移動させて台番号ＩＤおよびセキュリティＩＤを読み取ったら、携帯端末９は、読み取ったＩＤを、データ送受信部１３を介してサーバーＳへ送信する。
ＩＤの送信は、読み取りごとに行なうようにしてもよいし、台番号ＩＤと対応するセキュリティＩＤとを１セットとして、まとめて送信するようにしてもよい。また、送信タイミングは、作業者が手動できめるようにしてもよいし、予め決められた個数のＩＤを読み取ったら、１セットとして自動的に送信するようにしてもよい。
【００３８】
携帯端末９からＩＤを受信したサーバーＳでは、データ処理部１５が、読み取った台番号ＩＤとセキュリティＩＤとの対応関係が正規の関係であるかどうかを判定するが、その処理手順を図５のフローチャートに従って説明する。
ステップＳ１で、上記データ処理部１５は、携帯端末９から送信されたＩＤを受信する。ここで受信するＩＤとは、台番号シール５から読み取った台番号ＩＤと、封印シール７，８からそれぞれ読み取ったセキュリティＩＤである。なお、ここでは、携帯端末９から受信した台番号ＩＤをＩＤ（ａ）とし、セキュリティＩＤをＩＤ（ｂ）と表わすことにする。ただし、この実施形態では、セキュリティＩＤは封印シール７，８のそれぞれから読み取っているので、２つのセキュリティＩＤを受信しているが、両者をまとめてＩＤ（ｂ）と示している。
【００３９】
次に、ステップＳ２で、データ処理部１５は、受信した台番号ＩＤ（ａ）とセキュリティＩＤ（ｂ）とを対応付けて、シールの対応関係とする。なお、携帯端末９から送信されたＩＤのうち、いずれが台番号ＩＤで、いずれがセキュリティＩＤなのかという区別は、どのようにしてもかまわない。例えば、１台の遊技台に対応付けられるＩＤ、この実施形態では、台番号ＩＤ１つと、セキュリティＩＤ２つの計３つのＩＤを上記ＩＤ読み取り部１１で読み取る際に、上記したように、ＩＤ読み取り部１１を近づける順番を決めておき、携帯端末９で、最初に読み取ったＩＤを台番号１Ｄとし、以降の２つのＩＤをセキュリティＩＤとみなし、携帯端末９でＩＤの種別を対応付けてからサーバーＳへ送信するようにしてもよい。
【００４０】
また、携帯端末９では、３つのＩＤの読み取りを一区切りとして、その区切りの中では、ＩＤに種別をつけずに、読み取った順にＩＤ送信し、サーバーＳで、一区切りの中で受信したＩＤのうち、最初に受信したものを台番号ＩＤとし、それ以外をセキュリティＩＤとして認識するようにしてもよい。
このようなＩＤ読み取りの順序や、読み取りの区切りを予めデータ処理部１５または携帯端末９に設定しておくことにより、台番号ＩＤに対して、予め設定された入力タイミングで入力されたセキュリティＩＤを対応付けることができる。また、台番号ＩＤとセキュリティＩＤを区別することなく、この組合せを記憶することで、台番号ＩＤとセキュリティＩＤを対応付けしてもよい。
【００４１】
さらに、データ処理部１５は、ステップＳ３で、上記受信した台番号ＩＤ（ａ）に関するセキュリティＩＤとの対応関係を、対応テーブル記憶部１６が記憶している対応テーブルから特定する。そして、ステップＳ４で、上記ステップＳ２で特定したシールから読み取ったＩＤの対応関係と、ステップＳ３で特定した対応テーブルの対応関係とが一致するかどうかを判定する。
ステップＳ４で、両対応関係が一致すると判定した場合には、ステップＳ５へ進み、データ処理部１５は、携帯端末９に対し、受信した台番号ＩＤ（ａ）について正規のセキュリティＩＤが読み取られたことを知らせるため、携帯端末９の表示部１２に、読み取りが完了したことを表示させる。
【００４２】
図６は、携帯端末９の表示部１２の表示例を示している。封印シールの検査のための読み取り作業中に、表示部１２には、検査対象の台番号の右隣に、封印シールの検査結果を表示する結果表示欄１８を表示している。この検査結果とは、読み取ったＩＤの対応関係と対応テーブルの対応関係との判定結果に基づくものである。例えば、台番号１の台番号シール５から読み取った台番号ＩＤと、封印シール７、８から読み取ったセキュリティＩＤとの対応関係が、上記対応テーブルの対応関係と一致した場合、上記データ処理部１５は、台番号１の右隣の結果表示欄１８に、「完了」と表示させる。表示部１２に「完了」と表示させる処理が、この発明の読み取り完了信号の表示に当たる。
そして、ステップＳ１０へ進み、上記判定結果をデータ記憶部１７に記憶させる。なお、上記データ記憶部１７に記憶させる判定結果には、読み取った台番号ＩＤとセキュリティＩＤとの対応関係と、それが正常であるという情報が含まれる。
【００４３】
一方、上記ステップＳ４で両対応関係が一致しなかった場合、すなわち、携帯端末９が読み取った台番号ＩＤ（ａ）と読み取ったセキュリティＩＤ（ｂ）との対応が、上記対応テーブルになかった場合には、ステップＳ６へ進み、セキュリティＩＤ（ｂ）を、対応テーブル記憶部１６が記憶している対応テーブルから検索し、対応テーブルの中に含まれているかどうかを判定する。携帯端末９から受信したセキュリティＩＤ（ｂ）が、対応テーブルにあった場合には、ステップＳ７に進み、データ処理部１５は、対応テーブルで見つけたセキュリティＩＤ（ｂ）に対応する台番号（ｎ）を特定する。そして、ステップＳ８で、「台番号（ｎ）から移動？」と、携帯端末９の表示部１２に表示させる。
【００４４】
上記ステップＳ４→ステップＳ６→ステップＳ７の場合は、携帯端末９で読み取ったセキュリティＩＤ（ｂ）が、対応テーブルでは、台番号ＩＤ（ａ）およびこの台番号ＩＤの台番号とは対応していないが、別の台番号ＩＤおよび台番号（ｎ）と対応していたということである。
この場合、一旦、対応テーブル記憶部１６に対応テーブルを登録した後に、上記セキュリティＩＤ（ｂ）の封印シールを貼付された遊技台が、台番号ｎの位置から移されて、セキュリティＩＤと台番号および台番号ＩＤとの対応関係が変わった可能性がある。そこで、対応テーブル上で、上記セキュリティＩＤ（ｂ）に対応する台番号（ｎ）特定し、例えば、台番号が１０３の場合、図６に示した台番号「３」の結果表示欄１８のように、「１０３番台から移動？」と表示し、遊技台１の移動の可能性を表示する。
【００４５】
さらに、ステップＳ１０に進み、遊技台の移動の可能性を含む判定結果をデータ記憶部１７に記憶させる。つまり、この判定結果は、台番号ＩＤと読み取ったセキュリティＩＤと、そのセキュリティＩＤが対応テーブル上で対応している台番号とを対応付け、対応テーブル状のＩＤから移動した可能性を示した情報である。
なお、上記結果表示欄１８に「１０３番台から移動？」と表示した場合、この結果表示に対応する台番号「３」が、この発明の読み取り未完の台番号となる。つまり、データ処理部１５が、表示部１２に読み取り未完の台番号を表示したことになる。
ただし、表示部１２には、この実施形態のように、移動の可能性を表示することはしないで、読み取り未完の遊技台の台番号だけを表示させたり、台番号の代わりに台番号ＩＤを表示させたりしてもよい。あるいは、台番号と台番号ＩＤの両方を同時に表示させてもよい。
【００４６】
また、上記ステップＳ６で、携帯端末９から受信したセキュリティＩＤ（ｂ）が、対応テーブルのどこにもなかった場合には、ステップＳ９に進み、携帯端末９の表示部１２に「新規のＩＤ」であることを表示させる（図６の台番号４参照）。
上記新規のＩＤということは、対応テーブル記憶部１６の対応テーブル中で、いずれの台番号および台番号ＩＤにも対応していないセキュリティＩＤを、携帯端末９が読み取ったということで、新たな封印シールを貼付された遊技台１が設置されているということである。
【００４７】
上記のような新たな封印シールの存在は、全く新しい遊技台が導入された場合や、基板の交換などによって基板カバー６に新たな封印シール７，８が貼付された場合が考えられる。封印シールの貼り替えは、制御基板に対する不正操作を行った場合と、正規の処理に基づく処理後に対応テーブルの更新が間に合わなかった場合とがあるが、この段階では、それらを区別しなくてもよい。
そして、ステップＳ１０で、データ処理部１５は、読み取ったＩＤの対応関係が対応テーブルと一致せず、新規のＩＤを読み取ったことを、判定結果としてデータ記憶部１７に記憶させる。
【００４８】
上記の手順によって、作業者が携帯端末９で、台番号ＩＤと、セキュリティＩＤとを読み取ると、データ処理部１５が、不正の可能性を判定し、その結果が、台番号、台番号ＩＤ、セキュリティＩＤの対応関係とともに、データ処理部１５に記憶される。そのため、データ処理部１５が記憶しているデータを出力すれば、個々の遊技台における封印シールの状態がわかるので、制御基板に対する不正操作が行なわれたかどうかを判断することができる。しかも、台番号ＩＤやセキュリティＩＤに台番号の対応付けがされているので、台番号から、どこに設定されている遊技台の情報であるかがすぐにわかる。
【００４９】
つまり、封印シール７，８の状況に基づく不正の判断は、上記データ記憶部１７が記憶しているデータに基づいて行なうことができるので、判断を行なうものが、実際にＩＤを読み取る現場にいなくてもよいということである。そして、ＩＤの読み取り作業と、不正の判断や対処とを分離することができる。そのため、ＩＤの読み取り作業は、専門知識や、基板変更などの権限のない読み取り作業者に任せることができる。
また、上記データ記憶部１７のデータに基づいて、新規の遊技台の導入や移動を確認した場合には、上記対応テーブル記憶部の１６が記憶している対応テーブルを更新することができる。
【００５０】
さらにまた、この実施形態では、上記のように、携帯端末９を用いたＩＤの読み取り作業中に、データ処理部１５によるＩＤ対応関係の判定結果に基づいて、正規のＩＤの読み取り完了が、携帯端末９の表示部１２に表示されるようにしているので、作業者は、自身の読み取り作業の進み具合や、封印シールの異常を確認することができる。
なお、上記では、ＩＤ読み取り部１１によって読み取ったＩＤについて、その対応関係の判定を行なう例について説明したが、封印シールが剥がされたり、破損したりすることによって、セキュリティＩＤが読み取れなかった場合や、携帯端末９の操作ミスによってセキュリティＩＤが読み取れなかった場合にも、データ処理部１５は、異なるＩＤを受信した場合と同様に処理し、対応関係が一致しないという判定をするようにしている。
【００５１】
そのため、封印シール７，８からＩＤが読み取れなかった場合にも、読み取り完了とはならない。
従って、表示部１２に「完了」が表示されないときには、作業員は、読み取り操作ミスの可能性を考えて、読み取り作業を繰り返すこともできる。これにより、操作ミスによるＩＤの読み損ないを放置してしまうことを少なくできる。
【００５２】
また、読み取り未完の遊技台の台番号を表示部１２に表示させれば、作業員はこれから読み取り作業をしなければならない遊技台の台番号がわかるので、作業がやりやすい。特に、台番号順や配置順に、読み取り未完の遊技台の台番号を表示させるようにすれば、作業者はその表示に従って、順に読み取り作業を行なうことができる。
【００５３】
さらにまた、不正があるかどうかを確認すべき遊技台数、つまり、携帯端末９がＩＤを読み取るべき遊技台の台数を、データ処理部１５に設定するとともに、データ処理部１５は、上記手順によってＩＤの読み取り完了と判断した場合に、読み取るべき遊技台台数から１を減じて残数を算出し、その残数を、携帯端末９の表示部１２に表示させるようにしてもよい。表示部１２に上記残数が表示されれば、読み取り作業員は、残りの作業量を知ることができる。
このような、読み取り未完の遊技台台数の演算と、その表示は、図５のフローチャートにおいて、ステップＳ４でシールから読み取ったＩＤの対応関係と対応テーブルの対応関係とが一致すると判定した場合、その後のステップで、データ処理部１５が行なうようにする。
【００５４】
なお、上記では、読み取ったＩＤと対応テーブルとの一致不一致を判定してから、ＩＤ読み取り完了または未完を判断し、その結果を表示する例を説明しているが、１台の遊技台に対応付けられている台番号シールと封印シールのそれぞれから、ＩＤを読み取る過程で、シール単位での読み取りが未完であることを、携帯端末９の表示部１２に表示させるようにしてもよい。
例えば、この実施形態のように、１台の遊技台１に３枚のシール５，７，８が対応付けられている場合、そのうちの１枚のシールも読み取っていないときには、図６の台番号６に対応する結果表示欄１８のように、「残り３」と表示し、１枚、例えば、台番号シール５のみを読み取った場合には、台番号５のように、「残り２」と表示させる。この読み取っていないシールの残り数の表示が、この発明のＩＤ読み取り未完信号の表示にあたる。
【００５５】
なお、遊技場において、複数の作業員が、別々の携帯端末９を用いて、読み取り作業をすることもできる。その場合には、上記不正を確認すべき遊技台数を、携帯端末９ごとに設定し、データ処理部１５は、携帯端末９を区別して上記の処理を行なう必要がある。データ処理部１５が、携帯端末９を区別するためには、例えば、各携帯端末９がサーバーＳにＩＤを送信する際に、端末ＩＤなどを送信するようにする。
このシステムでは、読み取り作業は誰でも簡単にできるので、作業者数を増やして短時間で作業を済ますことが可能である。
【００５６】
また、上記実施形態では、１台の遊技台１に、２枚の封印シール７，８を用いているが、封印シールの枚数は何枚でもよい。枚数が多ければ多いほど、制御基板に対する不正は行い難くなると考えられるが、実際に不正操作が行なわれたことを事後的に検出するためには、封印シールの枚数は１枚でも足りる。ただし、封印シールが１枚だけの場合、貼付箇所によっては、封印シールを剥がさないようにして基板カバーを開くことができる場合もあるので、２枚以上用いた方が安心である。
【００５７】
なお、上記実施形態では、ＩＤの対応関係を判定したり、携帯端末９に情報を表示させたりする処理を行なうこの発明のデータ処理部は、サーバーＳに設けたデータ処理部１５であるが、このデータ処理部１５の機能を、サーバーＳではなく携帯端末９に設けてもよいし、この発明のデータ処理部の機能を、サーバーＳのデータ処理部１５と、携帯端末９とに分けて実行させるようにしてもよい。
さらに、上記対応テーブル記憶部１６も、サーバーＳまたは携帯端末９のどちらに設けてもかまわない。
【００５８】
いずれにしても、データ処理部で、各携帯端末９で読み取ったＩＤの対応関係を判定し、その判定結果の全てを、データ記憶部１７へ記憶させるようにすればよい。
また、上記データ記憶部１７は、ＩＤ読み取り部１１を備えた携帯端末９と無線通信によって接続されるサーバーＳに設けているが、上記サーバーＳの代わりに、ＩＤ読み取り部１１を有する携帯端末に、データ処理部１５とデータ記憶部１７とを設け、他の携帯端末９と無線通信可能にしてもよい。
【図面の簡単な説明】
【００５９】
【図１】遊技場における遊技島を示した図である。
【図２】遊技台の背面図である。
【図３】実施形態のシステム構成図である。
【図４】実施形態の対応テーブルである。
【図５】データ処理部の処理手順を示したフローチャートである。
【図６】携帯端末の表示部の表示例を示した図である。
【符号の説明】
【００６０】
１      遊技台
５      台番号シール
６      基板カバー
７、８  封印シール
９      携帯端末
１１    ＩＤ読み取り部
１２    表示部
１５    データ処理部
１６    対応テーブル記憶部
１７    データ記憶部
【図１】
2008104699.tif 000003
【図２】
2008104699.tif 000004
【図３】
2008104699.tif 000005
【図４】
2008104699.tif 000006
【図５】
2008104699.tif 000007
【図６】
2008104699.tif 000008